(57)【要約】      （修正有）【課題】大きな一つの磁石ではロックが解除されることなく、また、衝撃を加えた場合にもロックが解除されにくいロック機能付き円盤状記録媒体の収納ケースを提供する。【解決手段】金属片24を備えたシーソー部材36を備えたことにより、アーム23の動きを制限するし、よって大きな一つの磁石64ではロックが解除を抑制し、また、振り子部材32を備えることにより、衝撃を加えた場合にもロックが解除されにくいロック機能付き円盤状記録媒体の収納ケースとした。【選択図】図９
2006051954.tif 000002
【特許請求の範囲】
【請求項１】
記録媒体を収納するケースにおいて、本体と蓋とロック部材を有し、該本体には、ガイド溝片を備え、蓋には、ガイド溝片と、２ヶ所以上の爪とを備え、ロック部材には、金属片を備えたシーソー部材と、挿入棒と、挟持片と、ロック部材基部から片持ち梁式に弾性支持された２つ以上のアームを備え、アームの内側端部には係合部と金属片を備え、本体と蓋を閉めた状態の収納ケース側面開口からロック部材を挿入し、ロック部材と収納ケースに開放可能に係合し、収納ケース外側から磁石を備えた解除具を当る事により、係合部のロックを解除することを特徴とする記録媒体の収納ケース。
【請求項２】
中央穴を有する円盤状記録媒体を収納するケースにおいて、本体と蓋とロック部材を有し、該本体には、ベース面中央部の円盤状記録媒体の中央穴に解放可能に係合する円盤状記録媒体係合手段と、ガイド溝片とを備え、蓋には、ガイド溝片と、２ヶ所以上の爪とを備え、ロック部材には、金属片を備えたシーソー部材と、挿入棒と、挟持片と、ロック部材基部から片持ち梁式に弾性支持された２つ以上のアームを備え、アームの内側端部には係合部と金属片を備え、本体と蓋を閉めた状態の収納ケース側面開口からロック部材を挿入し、ロック部材と収納ケースに開放可能に係合し、収納ケース外側から磁石を備えた解除具を当る事により、係合部のロックを解除することを特徴とする円盤状記録媒体の収納ケース。
【請求項３】
記録媒体を収納するケースにおいて、本体と蓋とロック部材を有し、該本体には、ガイド溝片と、突起部とを備え、蓋には、ガイド溝片と、２ヶ所以上の爪とを備え、ロック部材には、ベース面又は、ベース面から繋がる部分に片持ち梁式に弾性支持された振り子部材と、挿入棒と、挟持片と、ロック部材基部から片持ち梁式に弾性支持された２つ以上のアームを備え、アームの内側端部には係合部と金属片を備え、本体と蓋を閉めた状態の収納ケース側面開口からロック部材を挿入し、ロック部材と収納ケースに開放可能に係合し、収納ケース外側から磁石を備えた解除具を当る事により、係合部のロックを解除することを特徴とする記録媒体の収納ケース。
【請求項４】
中央穴を有する円盤状記録媒体を収納するケースにおいて、本体と蓋とロック部材を有し、該本体には、ベース面中央部の円盤状記録媒体の中央穴に解放可能に係合する円盤状記録媒体係合手段と、ガイド溝片と、突起部とを備え、蓋には、ガイド溝片と、２ヶ所以上の爪とを備え、ロック部材には、ベース面又は、ベース面から繋がる部分に片持ち梁式に弾性支持された振り子部材と、挿入棒と、挟持片と、ロック部材基部から片持ち梁式に弾性支持された２つ以上のアームを備え、アームの内側端部には係合部と金属片を備え、本体と蓋を閉めた状態の収納ケース側面開口からロック部材を挿入し、ロック部材と収納ケースに開放可能に係合し、収納ケース外側から磁石を備えた解除具を当る事により、係合部のロックを解除することを特徴とする円盤状記録媒体の収納ケース。
【請求項５】
シーソー部材が金属片であることを特徴とする請求項１から請求項４のいずれか１項に記載の記録媒体の収納ケース。
【請求項６】
片持ち梁式に弾性支持されたアームが金属片であることを特徴とする請求項１から請求項５のいずれか１項に記載の記録媒体の収納ケース。
【請求項７】
請求項１および請求項６のいずれか１項に記載の収納ケースを収める外部ケース。
【発明の詳細な説明】
【技術分野】
【０００１】
本発明は、ＣＤ、ＤＶＤ、ゲームソフト等の記録媒体を収納し、盗難防止用のロック機能を備えた記録媒体の収納ケースに関するものである。
【背景技術】
【０００２】
発明者は、収納ケースにディスクを収納して陳列棚に配列した状態でレンタルを行う場合の盗難防止ケースとして使用する事を含め、特願２００３−４４２９２にてレンタル又は販売用記録媒体の収納ケースを提案した。この時、ある一定の距離を持って磁石を配した解除具にて、ロックを解除しようとしていた。しかし、大きな一つの磁石によって、ロックが解除される場合あることが判明した。大きい磁石は、盗もうとする人間にも用意しやすい為、対策を必要とした。
【０００３】
さらに、特願２００３−４４２９２のレンタル又は販売用記録媒体の収納ケースの上部に対し、衝撃を加えた場合、数回に一回から十数回に一回程度の確立で、ロック部材の係合部と収納ケースの爪の係合が解除し、ロック部材が抜去方向に移動し、ロックが解除される場合があることも、発見された。衝撃は容易に加えることができるため、ロックが解除される確立は低いものの、対策を必要とした。
【特許文献１】特願２００３−４４２９２
【発明の開示】
【発明が解決しようとする課題】
【０００４】
このように、特願２００３−４４２９２のレンタル又は販売用記録媒体の収納ケースには、盗難防止ケースとして、解決すべき上記の問題がある。本発明が解決しようとする課題はこの問題であり、大きな一つの磁石ではロックが解除されることなく、また、衝撃を加えた場合にもロックが解除されにくいロック機能付き円盤状記録媒体の収納ケースを提案する。
【課題を解決するための手段】
【０００５】
本発明にかかる記録媒体の収納ケースは、本体と蓋から成り、蓋は本体を被覆することができる。
【０００６】
そして、この収納ケースには、収納ケースから記録媒体が盗まれないように収納ケースの蓋と本体を開けさせない為のロック構造と、衝撃時のロック部材移動防止構造を備えている。ロック構造はロック部材が使用され、収納ケースに設けた開口から該ロック部材を挿入することにより、ロック部材のアーム部の係合部と蓋部の爪が噛み合って係合し、ロックがかかる。そして、収納ケースからロック部材がロック部材を抜去しないと、蓋が開かない構造としている。
【０００７】
ロック部材には金属片を備えた二つのアームと、金属片を備えたシーソーが配され、二つの磁石を備えた解除具を、収納ケースに当てたとき金属片を備えたアームが解除具方向に引き寄せられ、よってロックが解除される。この状態においてロック部材をスライドさせると、ロック部材を収納ケースより抜き去ることができる。
【０００８】
また、大きな一つの磁石を収納ケースに当てた場合、シーソー部材に配された金属片、アームに配された金属片は、磁石に引き寄せられるが、シーソー部材が大きく傾くことにより、一方のアームを押さえ、アームが磁石方向に引き寄せられることを制限する。この場合、ロックは解除されず、ロック部材は収納ケースより抜き去ることができない。
【０００９】
また、衝撃時のロック部材移動防止構造は、ロック部材に配された振り子部材が衝撃によって振られ、ロック部材が抜ける方向にスライドした時、障害となりロック部材をスライドさせない位置に、突起部を備えている。
【００１０】
そして、ロック部材にはタグシール等が貼着されていて、ロック部材を取り外さないで収納ケースを持ち出すならば、出入り口に設置している防犯装置が感知して警報を発するようにしている。
【発明の効果】
【００１１】
本発明の記録媒体の収納ケースは、シーソー部材の追加により、大きな一つの磁石によって、ロックが解除される場合を防止できる。また、振り子部材の追加により、衝撃によるロック解除を防止できる。
【発明を実施するための最良の形態】
【００１２】
シーソー部材に備えた金属片は、ロック部材のアームに備えた二つの金属片の間に配し、解除具に備えた二つの磁石の位置は、磁石の磁力がシーソー部材に備えた金属片よりも、アームに備えた二つの金属片により強くかかる位置に配する。
【００１３】
振り子部材は、プラスチックヒンジによって片持ち梁式に支持することもできるが、衝撃の大きさに敏感に反応し、また支持部の強度確保をする為、スプリング材をインサート成形し、ヒンジとする。
【実施例】
【００１４】
本発明に係る実施例を図面に基づいて詳細に説明する。説明は、円盤状記録媒体であるDVD用防犯ケースを例に置き説明する。図１は本発明に係る円盤状記録媒体の収納ケースで組立前の状態を示す実施図であり、（ａ）は正面図、（ｂ）は右側面図を表している。同図の１は本体、２は蓋を示し、本体１はベース側最広面を持つ箱型形状を成し、蓋２はカバー最広面を有し、そして蓋は繋ぎ部３を介して本体１に繋がっていて、しかも本体１と蓋２の縁に設けている連結部４，４・・を噛み合わせると共に、該連結部４，４・・の軸穴に軸ピン１７、１７を挿通することにより蓋２を開閉可能にし、該本体１を被覆することができる。
【００１５】
図１は繋ぎ部３だけで蓋２が繋がれて、連結部４、４・・が分離している状態であり、図２は蓋２が連結部４、４・・に軸ピン１７、１７を挿通して収納ケースとして組み立てた状態の図である。繋ぎ部３は本体１と蓋２との境界が薄肉化している為に、屈曲して蓋２に設けている連結部４、４を本体側に設けている連結部４，４・・に噛み合わせ、軸穴に軸ピン１７，１７を挿通する。従って、蓋２は本体１に対して連結部４，４・・の軸ピン１７，１７を介して開閉することが出来る。
【００１６】
本体１のベース面４２のほぼ中央には、円盤状記録媒体の中央穴に解放可能に係合する係合手段５を備えている。
【００１７】
図３はロック部材２０であり、（ａ）は背面図、（ｂ）は平面図、（ｃ）は正面図、（ｄ）は左側面図を表している。また、図４はシーソー部材３６であり、（ａ）は平面図、（ｂ）は正面図を表している。該ロック部材２０は平面部２５とコ型断面の挟持部２７から成り、収納ケースのロック部材嵌入空間１５には該ロック部材２０がスライドして嵌入し、蓋２が開かないようにロックされる。同図はロック部材２０の具体例であるが、上記挟持部２７は全長にわたって形成され、平面部１９の先端には嵌入棒２８を備え、嵌入棒２８から内側方向に片持ち梁式に弾性支持された振り子部材３２を形成し、挟持部２７の手前側にはストッパー３４が側方へ突出している。この時、振り子部材３２は、スプリング材３１をインサート成形し、片持ち梁式のヒンジ接続としている。
【００１８】
そして両挟持片２７、２７と底片２６から成るコ型断面の挟持部の内部にはロック機能が備わっていて、収納ケースにスライドして嵌入したロック部材２０が外れないように構成され、しかも必要に応じて引き抜くことが出来る。そこで、該ロック機構はバネ性を備える為のヒンジ２２を介して撓み変形するアーム２３を有し、アーム先端には係合部２１を形成し、係合部２１は挟持部の底片２６より突出した状態にある。該アーム２３には金属片２４が取付けられ、挟持片２７に磁石を近づけるならば、上記ヒンジ２２を介してアーム２３は撓むことが出来、先端の係合部２１は底片２６と同一位置、またはコ型断面の挟持片２７の内側位置にまで引き上げられる。
【００１９】
さらに両挟持片２７、２７には支点穴３０を設け、該両挟持片２７、２７と底片２６から成るコ型断面の挟持部の内部には、支点３７を支点穴３０に係合したシーソー部材３６が備えられ、シーソー部材３６の一方端には金属片３８が取付けられ、挟持部に磁石を近づけるならば、金属片３８を備えた一方端は上記支点３７を中心に、磁石方向に回動する。
【００２０】
ロック部材２０には、上記ロック機構が挟持部２７の二ヶ所に所定の間隔をおいて設けられている。そして、平面部１９にはタグシール４０が貼着されている。またロック部材２０の手前側には、平面部１９から起立するリブ３９を設け、該リブ３９の先端縁から挟持片２９，２９を平面部１９と平行に延ばしている。従って、挟持片２９，２９は平面部１９との間に空間が形成されている。
【００２１】
図５は収納ケースを閉じた状態であり、（ａ）は正面図、（ｂ）は右側面図を表している。図６はロック部材２０を収納ケースに挿入する手前の状態であり、図７は収納ケースに挿入された状態を表している。該ロック部材２０が挿入されることで、収納ケースの蓋２を開くことは出来ず、しかもロック部材２０を引き抜くことも出来なくなる。
【００２２】
収納ケースの本体１および蓋２にはベース面の外側から起立する縁６、６・・が設けられているが、この縁６、６・・を切りかいて形成した開口１６からロック部材２０を嵌入空間１５へ嵌入するならば、平面部１９は本体１のベース面から起立したガイド片７と蓋２のベース面の間に残った隙間に嵌入し、挟持部の挟持片２７、２７は本体１に設けたガイド溝片９、および蓋２に設けたガイド溝片８に各々係合し、平面部１９の縁はガイド溝片１８に係合することになる。すなわち、これらガイド溝片８、９、１８はベース面との間に隙間を残して設けられ、該隙間に挟持部の挟持片２７、２７及び平面部１９の縁が嵌入する。
【００２３】
そしてロック部材２０の平面部１９からのびる挿入棒２８は本体係合穴１３と蓋係合穴１２に嵌入する。本体係合穴１３は本体ベース面との間に挿入棒２８が嵌るように形成される穴であり、同じく蓋係合穴１２は蓋ベース面との間に挿入棒２８が嵌るように形成される穴である。蓋２を閉じることで、本体係合穴１３と蓋係合穴１２は互いに連通した穴となり、挿入棒２８が嵌入することで、蓋はロックされる。さらに、平面部１９の手前に形成した挟持片２９，２９は、本体１に設けている本体嵌合穴１１に嵌ることになる。
【００２４】
このように、蓋２を閉じた収納ケースの嵌入空間１５にロック部材２０を嵌めた場合、挟持部の挟持片２７、２７はガイド溝片８，９ａに係合し、平面部１９の縁はガイド溝片１８に係合し、挿入棒２８は本体係合穴１３と蓋係合穴１２を貫通し、さらに挟持片２９，２９は本体側に設けた本体嵌合穴１１に嵌ることで、該蓋２は該ロック部材２０を介して開かないようにロックされる。
【００２５】
そしてロック部材２０が収納ケースの嵌入空間１５に嵌入するならば、ロック部材のアーム２３、２３の先端に形成している係合部２１，２１はガイド片７、７の先端に設けた爪１０，１０に係止してロック部材２０を取り外すことが出来ないようになる。すなわち、ロック部材２０を挿入する際には、アーム２３、２３が撓んで係合部２１，２１は爪１０，１０を通過するが、一旦通過した係合部２１，２１は元の位置に復帰して爪１０，１０に係合して抜けないようになる。そこでロック２０を外すには係合部２１，２１を爪１０，１０から解錠しなくてはならない訳で、本発明では所定の間隔を持った二つの磁石６２，６２を備えた解錠具６１を使用する。
【００２６】
図８は解除具を収納ケース側縁に当てた場合の状態図を示している。すなわち、所定の間隔を持った二つの磁石６２，６２を備えた解除具６１を収納ケース側縁に当て、解除具６１の当て面６３をロック部材２０のストッパー３４に当てるならば、アーム２３、２３に取付けてある金属片２４、２４が解除具６１の磁石６２の各々に引き寄せられて係合部２１，２１は爪１０，１０から外され、この状態でロック部材を取り外すことができる。
【００２７】
図９は一つの大きな磁石を収納ケース側縁に当てた場合の状態図を示している。この時、シーソー部材３６に備えた金属片３８が磁石６４に引き寄せられ、シーソー部材３６が傾き、アーム２３の一方の動きが規制され係合の解除がならず、よってロック部材を取り外すことが出来ない。
【００２８】
すなわち、シーソー部材３６に備えた金属片３８、アーム２３、２３に配した金属片２４、２４は、一つの大きな磁石６４に磁力により引き付けられるが、この時シーソー部材３６は支点３７を中心として回動し、金属片３８を備えた反対端の押え端３５は、アーム２３との隙間を詰め、アーム２３の撓みを規制する。しかも、アーム２３の当り面２５は金属片２４よりヒンジ２２から遠い位置に設けられていて、金属片２４が磁石６４に引き寄せられる力より弱い力で撓みを規制できる位置にある。従って、一つの大きな磁石６４を収納ケース側縁に当てた場合は、アーム２３の撓みが規制され、よって、ロック部材２０の係合部２１と、爪１０係合の解除がならず、ロック部材を取り外すことが出来ない。
【００２９】
図１０は、収納ケース側縁に衝撃を加え振り子部材３２が振れた状態を示す状態図である。振り子部材３２は、収納ケースの挿入棒２８内側からスプリング材３１にて片持ち梁式に弾性支持され、スプリング材３１は、インサート成形にて挿入棒２８内側から振り子部材３２の内部に設けられ、収納ケース側縁に衝撃を加えた時、振り子部材３２は、スプリング材３１のヒンジ部を中心に回動する構造になっている。
【００３０】
収納ケース側縁に衝撃が加えられた時、振り子部材３２は回動し、干渉部３３は上部方向に移動する。この時、同時に衝撃力がロック部材２０を収納ケースから抜去方向に移動する方向の力に分散された時、干渉部３３は蓋２の突起部１４に干渉し、ロック部材２０が収納ケースから抜去方向に移動しようとする動きを制限する。
【００３１】
収納ケースに振り子部材３２が無い状態にて、収納ケース側縁に衝撃を加えた時、数回に一回から数十回に一回の割合にてロック部材が抜去方向に移動する状態が発生していた。
【００３２】
つまり、ロック部材２０は、アーム２３、２３の係合部２１，２１にて、収納ケースの爪１０，１０に係合しているが、収納ケース側縁に衝撃を加えた時、アーム２３，２３が衝撃力によって撓み、爪１０，１０から外れ、解錠状態になり、同時に衝撃力がロック部材２０を収納ケースから抜去方向に移動する方向の力に分散され、よって数回に一回から数十回に一回の割合にてロック部材が抜去方向に移動する状態が発生していた。
【００３３】
しかし、振り子部材３２を設けたことにより、収納ケース側縁に衝撃を加えた時のロック部材の抜去頻度は、数百回に一回にまで減らすことが出来た。
【００３４】
ＣＤ、ＤＶＤ、ゲームソフト等のレンタル店においては、本発明の収納ケース内にＣＤ、ＤＶＤ、ゲームソフト等の円盤状記録媒体であるディスクを収納し、さらに収納ケースを外部ケース内に収め、棚に陳列する。
【００３５】
また、ＣＤ、ＤＶＤ、ゲームソフト等の販売店においては、本発明の収納ケース内にＣＤ、ＤＶＤ、ゲームソフト等の記録媒体販売ケースを収納し、棚に陳列する場合もある。図１１は、記録媒体の販売ケース自体を収納する収納ケースの正面図（ａ）と、右側面図（ｂ）である。記録媒体の販売ケース自体を収納する収納ケースには、ベース面から一体となった側面壁７２、７５、底面壁７３、カバー壁７４、上面壁７６と、上部にはロックプレートを係合する爪１０，１０・を備えている。
【００３６】
図１２は、記録媒体の販売ケース自体を収納する収納ケースのロックプレートの正面図である。ロックプレートにはロック機能が備わっていて、収納ケースにスライドして嵌入したロックプレート７８が外れないように構成され、しかも必要に応じて引き抜くことが出来る。そこで、該ロック機構はバネ性を備える為のヒンジ２２を介して撓み変形するアーム２３を有し、アーム先端には係合部２１を形成し、該アーム２３には金属片２４が取付けられ、磁石を近づけるならば、上記ヒンジ２２を介してアーム２３は撓むことが出来、先端の係合部２１は引き上げられる。さらに、支点３７を支点穴３０に係合したシーソー部材３６が備えられ、シーソー部材３６の一方端には金属片３８が取付けられ、挟持部に磁石を近づけるならば、金属片３８を備えた一方端は上記支点３７を中心に、磁石方向に回動する。
【００３７】
図１３は、記録媒体の販売ケース自体を収納する収納ケースにロックプレートが嵌入してロックされた状態図である。ロックの係合、解除は前記説明と同様である。記録媒体の販売ケース自体を収納する収納ケースに、記録媒体の販売ケースを収納し、ロックプレートをスライドするならば、ロックプレートは収納ケースと係合し、収納ケースに収めた記録媒体の販売ケースを取り出すことをできなくしている。
【産業上の利用可能性】
【００３８】
本発明の記録媒体の収納ケースは、大きな一つの磁石ではロックが解除されることなく、また、衝撃を加えた場合にもロックが解除されにくいロック機能付き収納ケースとなり、防犯性の向上した記録媒体の収納ケースとして利用できる。
【図面の簡単な説明】
【００３９】
【図１】本体と蓋が連結部を介して繋がる前の収納ケースの正面図と右側面図。
【図２】本発明に係る収納ケースの実施例。
【図３】ロック部材の背面図と平面図と正面図と左側面図。
【図４】シーソー部材の平面図と断面図。
【図５】収納ケースを閉じた状態の正面図と右側面図。
【図６】収納ケースにロック部材を嵌入する場合。
【図７】収納ケースにロック部材が嵌入してロックされた状態図。
【図８】解除具を収納ケース側縁に当てた場合の状態図。
【図９】一つの大きな磁石を収納ケース側縁に当てた場合の状態図。
【図１０】収納ケース側縁に衝撃を加え振り子部材３２が振れた状態を示す状態図。
【図１１】収納ケースの正面図と右側面図。
【図１２】ロックプレートの正面図。
【図１３】収納ケースにロックプレートが嵌入してロックされた状態図。
【符号の説明】
【００４０】
１    本体
２    蓋
３    繋ぎ部
４    連結部
５    係合手段
６    縁
７    ガイド片
８    ガイド溝片
９    ガイド溝片
１０  爪
１１  嵌合穴
１２  係合穴
１３  係合穴
１４  突起部
１５  嵌入空間
１６  開口
１７  軸ピン
１８  ガイド溝片
１９  平面部
２０  ロック部材
２１  係合部
２２  ヒンジ
２３  アーム
２４  金属片
２５  当り面
２６  底片
２７  挟持片
２８  挿入棒
２９  挟持片
３０  支点穴
３１  スプリング材
３２  振り子部材
３３  干渉部
３４  ストッパー
３５  押え端
３６  シーソー部材
３７  支点
３８  金属片
３９  リブ
４０  タグシール
４２  ベース面
４３  ベース面
６１  解除具
６２  磁石
６３  当て面
６４  磁石
７１  ベース面
７２  側面壁
７３  底面壁
７４  カバー壁
７５  側面壁
７６  上面壁
７７  カバー面
７８  ロックプレート
【図３】
2006051954.tif 000003
【図４】
2006051954.tif 000004
【図６】
2006051954.tif 000005
【図７】
2006051954.tif 000006
【図９】
2006051954.tif 000007
【図１０】
2006051954.tif 000008
【図１１】
2006051954.tif 000009
【図１】
2006051954.tif 000010
【図２】
2006051954.tif 000011
【図５】
2006051954.tif 000012
【図８】
2006051954.tif 000013
【図１２】
2006051954.tif 000014
【図１３】
2006051954.tif 000015